(57)【要約】【課題】長押し操作などのようにユーザの操作内容の確定に必要な時間を利用して不揮発性表示部の画質の劣化を抑制することができる携帯端末装置及びそのプログラムを提供すること。【解決手段】電源からの電力供給が断たれても表示を維持する不揮発性表示部の表示書き換え指示を入力する入力部を備え、入力部への入力があったとき、まず表示内容のリセット処理を行い、その後入力部への入力が確定したときに当該入力部への入力量に応じた表示内容への表示書き換え処理を開始する。【選択図】図２
2010045527.tif 000002
【特許請求の範囲】
【請求項１】
電源からの電力供給が断たれても表示を維持する不揮発性表示部と、
前記不揮発性表示部の表示書き換え指示を入力する入力部と、
前記入力部への入力があったとき、表示内容のリセット処理を行い、その後前記入力部への入力が確定したときに当該入力部への入力量に応じた表示内容への表示書き換え処理を開始する制御部と、を備えた携帯端末装置。
【請求項２】
前記入力部への入力継続時間又は前記入力部への連続入力数を前記入力部への入力量としたことを特徴とする請求項１に記載の携帯端末装置。
【請求項３】
前記不揮発性表示部は、
着色した帯電粒子を電極間に収納した複数の画素を備えており、
前記制御部は、
前記リセット処理を行うときには、短時間に電圧の極性が交互に反転するシェイキングパルス、前記帯電粒子を移動させる書き換えパルスを含むリセットパルスを前記電極間に印加し、
前記リセット処理に続いて前記表示書き換え処理を行うときには、前記帯電粒子を移動させる書き換えパルス及び前記帯電粒子の移動を停止させる制動パルスを前記電極間に印加する
ことを特徴とする請求項１又は請求項２に記載の携帯端末装置。
【請求項４】
前記不揮発性表示部の表示書き換え指示を入力する第二入力部を備え、
前記制御部は、前記第二入力部への入力があったとき、前記リセット処理を行わずに、当該入力に応じた表示内容への表示書き換え処理を開始することを特徴とする請求項１〜３のいずれか１項に記載の携帯端末装置。
【請求項５】
請求項１〜４のいずれか１項に記載の携帯端末装置における前記制御部の機能をコンピュータに実行させるプログラム。
【発明の詳細な説明】
【技術分野】
【０００１】
本発明は、携帯端末装置及びそのプログラムに関するものであり、詳細には、電源からの電力供給が断たれても表示状態を維持する不揮発性表示部を備えた携帯端末装置及びそのプログラムに関するものである。
【背景技術】
【０００２】
近年、電子ペーパーなどのように、電源からの電力供給が断たれても表示状態を維持する不揮発性表示部を備えた携帯端末装置が提供され始めている。
【０００３】
このような携帯端末装置は、例えば、文書等を閲覧するために用いられており、不揮発性表示部に表示している表示内容を切り替えるときには、前ページキーや次ページキーなどを用いて１ページずつ表示内容を切り替えるようにしている。
【０００４】
しかし、これらのキーを用いた場合、キー操作の入力が行われる毎に前ページ又は次ページへの表示内容へ切り替えるための書き換え処理を行うため、所望のページを表示部に表示するための時間を要することがある。
【０００５】
そこで、下記特許文献１には、入力キーを長押し操作することにより連続的に所定単位ずつ表示するページをジャンプすることができる装置が開示されている。
【特許文献１】特開平９−１７９８８４号公報
【発明の開示】
【発明が解決しようとする課題】
【０００６】
しかし、従来の不揮発性表示部においては表示領域の書き換え処理を、その書き換え前後の表示内容の差分に基づいて行っているため、不揮発性表示部の特性や温度などにより書き換え後の計算上の状態と実際の状態がずれてしまう。そして、ページの切り替えが多くなると、このずれが大きくなり画質が劣化してしまうことになる。
【０００７】
そこで、本願発明は、長押し操作等が確定するまでの時間を有効に活用して、不揮発性表示部における画質の劣化を抑制することを目的とする。
【課題を解決するための手段】
【０００８】
上記目的を達成するために、請求項１に記載の発明は、電源からの電力供給が断たれても表示を維持する不揮発性表示部と、前記不揮発性表示部の表示書き換え指示を入力する入力部と、前記入力部への入力があったとき、表示内容のリセット処理を行い、その後前記入力部への入力が確定したときに当該入力部への入力量に応じた表示内容への表示書き換え処理を開始する制御部と、を備えたものである。
【０００９】
また、請求項２に記載の発明は、請求項１に記載の発明において、前記入力部への入力継続時間又は前記入力部への連続入力数を前記入力部への入力量としたものである。
【００１０】
また、請求項３に記載の発明は、請求項１又は請求項２に記載の発明において、前記不揮発性表示部は、着色した帯電粒子を電極間に収納した複数の画素を備えており、前記制御部は、前記リセット処理を行うときには、短時間に電圧の極性が交互に反転するシェイキングパルス、前記帯電粒子を移動させる書き換えパルスを含むリセットパルスを前記電極間に印加し、前記リセット処理に続いて前記表示書き換え処理を行うときには、前記帯電粒子を移動させる書き換えパルス及び前記帯電粒子の移動を停止させる制動パルスを前記電極間に印加するものである。
【００１１】
また、請求項４に記載の発明は、請求項１〜３のいずれか１項に記載の発明において、前記不揮発性表示部の表示書き換え指示を入力する第二入力部を備え、前記制御部は、前記第二入力部への入力があったとき、前記リセット処理を行わずに、当該入力に応じた表示内容への表示書き換え処理を開始するものである。
【００１２】
また、請求項５に記載の発明は、請求項１〜４のいずれか１項に記載の携帯端末装置における前記制御部の機能をコンピュータに実行させるプログラムとした。
【発明の効果】
【００１３】
本発明の携帯端末装置によれば、入力部への入力量に応じた表示内容への表示書き換え処理を行う前にリセット処理を行うので、不揮発性表示部における画質の劣化を抑制することができる。
【発明を実施するための最良の形態】
【００１４】
以下、本発明の一実施形態を図面を参照して説明する。
【００１５】
［１．携帯端末装置の概要］
まず、図１を参照して、本実施形態の携帯端末装置１の外観及び主な動作について説明する。図１は、本実施形態の携帯端末装置１の正面図である。
【００１６】
携帯端末装置１は、平面視方形状で薄型の装置であり、図１に示すように、その正面には、略Ａ４サイズの大きさの不揮発性表示部２が設けられている。この不揮発性表示部２は、電源からの電力供給が断たれても表示状態を維持する不揮発性表示部であり、例えば電気泳動表示装置などで構成される。
【００１７】
この不揮発性表示部２の右側には、ナビキー３と表示切替キー４とを含む入力部５と電源ボタン６とが配置されている。なお、ナビキー３は、その中央部に決定キー３ａが設けられ、決定キー３ａの上下左右にはそれぞれ、上キー３ｂ，下キー３ｃ，左キー３ｄ，右キー３ｅが設けられている。また、表示切替キー４には、左キー４ａ，右キー４ｂが設けられている。
【００１８】
そして、携帯端末装置１のユーザは、入力部５を操作して不揮発性表示部２に表示するコンテンツの選択、表示、作成などを行うことができる。本実施形態の携帯端末装置１で扱うことができる「コンテンツ」として、文字を表示させるための文書データ，静止画像を表示させるための静止画データ及び動画像を表示させるための動画データなどがある。
【００１９】
また、携帯端末装置１の右側面には、メモリカード１７を挿入するためのメモリカードＩ／Ｆ１３が設けられている。携帯端末装置１では、メモリカード１７に記憶されているコンテンツをメモリカードＩ／Ｆ１３を介して読み込んで不揮発性表示部２に表示させることができ、また、携帯端末装置１で作成したコンテンツをメモリカード１７に書き込んで記憶させることができる。
【００２０】
ところで、不揮発性表示部２は電気泳動表示装置などから構成されているため、その表示内容の書き換え処理に時間を要する。特に、ユーザによる入力部への連続操作（ここでは、左キー３ｄ又は右キー３ｅへの長押し操作や連続押下操作など。）の入力量に応じた表示内容への書き換え処理を行うとき、長押し時間（入力継続時間）が長かったり連続押下回数（連続入力数）が多かったりすると、その確定に時間がかかる。従って、連続操作が確定してからその連続入力量に応じた表示内容への書き換え処理を開始すると、所望の表示内容を表示するまでに相当な時間がかかってしまう。
【００２１】
そこで、本実施形態の携帯端末装置１では、ユーザによる左キー３ｄ又は右キー３ｅの連続操作があったとき、まず書き換え前後の表示に依存しないリセット処理を直ちに行っておき、その後操作が確定したときに、その確定した操作に応じた表示内容への書き換え処理を開始するようにしている。
【００２２】
例えば、図２の左図に示すように、不揮発性表示部２にコンテンツの１ページ目の表示内容が表示されているとする。このとき、ユーザによって右キー３ｅが操作されると、携帯端末装置１の制御部は、その操作が連続するか否かに関わらず、書き換え前後の表示に依存しないリセット処理を直ちに開始する。これにより図２の中央図に示すように、不揮発性表示部２にはリセット状態（ここでは全面黒色）の表示内容が表示される。
【００２３】
その後、右キー３ｅへのユーザ操作が確定したとき、右キー３ｅへの入力量に応じた表示内容への表示書き換え処理を行う。例えば、右キー３ｅへの入力量が４ページ分の先送り操作に相当するときには、図２の右図に示すように、携帯端末装置１の制御部は、コンテンツの５ページ目の表示内容への書き換え処理を行って、５ページ目の表示内容を不揮発性表示部２に表示する。このときの書き換え処理は、リセット状態の表示内容と書き換え後の表示内容の差分（ここでは、全面黒色の表示内容と５ページ目の表示内容の差分）に基づいて行う。
【００２４】
ここで、「リセット処理」とは、表示画質の劣化を抑制するためのであり、不揮発性表示部２内にある後述の帯電粒子を電極に引き寄せる処理である。例えば、不揮発性表示部２が白、ライトグレー、ダークグレー、黒の４階調の表示手段であるときには、表示領域を全面白色又は全面黒色に書き換えることによって行う。
【００２５】
すなわち、不揮発性表示部２における表示領域の書き換え処理は、上述のようにその書き換え前後の表示内容の差分に基づいて行われるが、不揮発性表示部２内の帯電粒子の特性や温度などにより書き換え後の計算上の状態と実際の状態がズレてしまう。そのため、書き換え前後の差分だけで書き換え処理を継続していくと、このズレが大きくなり画質が劣化してしまうことになる。そこで、帯電粒子を一旦電極に引き寄せることによりその差分書き換えによるズレをキャンセルするようにしている。例えば、図６に示す画素８ａの状態のように、後述する白色負帯電粒子３３ａを一方の電極に引き寄せ、黒色正帯電粒子３３ｂを他方の電極に引き寄せて表示内容を全面黒色にする。
【００２６】
また、本実施形態においては、リセット処理終了後に連続して表示書き換え処理が行われることから、この表示書き換え処理において、通常の表示書き換え処理で行っている処理の一部（ここでは、図８に示すシェイキングパルスの印加処理）を行わないようにしている。これは、リセット処理後、短い期間後に引き続き書き換えパルスを印加するため、シェイキングパルスの印加処理が不要となるからである。このようにすることで、表示内容への書き換えを迅速にすることができる。
【００２７】
ところで、右キー３ｅへの操作が連続操作ではなく単一操作であるとき（例えば、長押し時間が最小のときや押下回数が１回のとき）においても、リセット処理が行われることになるが、入力される操作が単一操作であると判定するために要する時間は短いため、操作後の表示内容の書き換えが終了するまでの時間がかかりすぎるということはない。なお、右キー３ｅや左キー３ｄへの所定時間内の操作が単一操作となり、この所定時間を超える右キー３ｅや左キー３ｄへの操作が連続操作となる。また、複数回押し操作の場合、右キー３ｅや左キー３ｄへの１回の押下操作が単一操作となり、右キー３ｅや左キー３ｄへの複数回の連続押下操作が連続操作となる。
【００２８】
上述した表示内容の切り替えは、複数ページあるコンテンツのページ切り替えの例であるが、表示内容を書き換える操作であれば適用することができ、これに限られない。
【００２９】
例えば、図３に示すように、カーソルなどを移動させる場合にも同様に適用することができる。同図に示す例では、１行単位でカーソルの移動を示しており、ユーザによる下キー３ｃの連続操作でカーソルを移動させている。すなわち、ユーザによる下キー３ｃへの入力があったとき、携帯端末装置１の制御部は、まず不揮発性表示部２のリセット処理を行う。その後、ユーザによる下キー３ｃへの入力が単一操作のときにはカーソルを１行分下段に移動させた表示内容に切り替え、下キー３ｃへの入力が連続操作であったとき、携帯端末装置１の制御部は、連続入力量に応じた行分だけカーソルを下段に移動させた表示内容（図２に示す例では５ページ目の表示内容）に書き換える。
【００３０】
また、表示内容の切り替えとして、不揮発性表示部２の表示内容を上キー３ｂや下キー３ｃなどでスクロールする操作をするときにも適用できる。例えば、ユーザによる下キー３ｃへの入力があったとき、携帯端末装置１の制御部は、まず不揮発性表示部２のリセット処理を行う。その後、ユーザによる下キー３ｃへの入力が単一操作のときには、所定長さのスクロールをしたときの表示内容に切り替え、下キー３ｃへの入力が連続操作であったとき、携帯端末装置１の制御部は、連続入力量に応じた長さのスクロールをしたときの表示内容に書き換える。
【００３１】
ところで、携帯端末装置１には上述のように表示切替キー４（第二入力部の一例）が設けられており、この表示切替キー４への入力操作があったとき、表示切替キー４への入力操作が行われる毎に、この入力操作に応じた表示内容への書き換え処理を開始するようにしている。すなわち、表示切替キー４には、現ページよりも前のページに表示を切り替える左キー４ａと現ページよりも先のページに表示を切り替える右キー４ｂとが設けられており、左キー４ａを押下する毎に１ページずつ順次前のページの表示内容への書き換え処理を開始し、右キー４ｂを押下する毎に１ページずつ順次先のページの表示内容への書き換え処理を開始する。なお、表示切替キー４への入力操作は確定するまで時間を要しないことから、リセット処理を行わずに表示内容の書き換え処理が行われる。
【００３２】
このように携帯端末装置１の入力部５として、ナビキー３とは機能が異なる表示切替キー４を設けているので、その状況に応じた操作を行うことができ、ユーザの利便性を向上させることができる。
【００３３】
［２．携帯端末装置の具体的構成］
次に、上述した携帯端末装置１の具体的構成の例を挙げてより具体的にその構成及び動作を説明する。
【００３４】
［２．１  携帯端末装置の全体構成］
まず、図４を参照して、携帯端末装置１の電気的構成について説明する。図４は携帯端末装置１の電気的構成を示す模式図である。
【００３５】
図４に示すように、携帯端末装置１には、不揮発性表示部２、バッテリ７、タッチパネル９、ＣＰＵ１０、ＲＯＭ１１、ＲＡＭ１２、ＲＴＣ（Real  Time Clock）１３、表示コントローラ１４、充電コントローラ１５、メモリカードインタフェース（Ｉ／Ｆ）１６、メモリカード１７、入力部５及び電源ボタン６が設けられている。
【００３６】
タッチパネル９は、透過性の部材で形成され、不揮発性表示部２の表面に形成される。ユーザはタッチパネル９をタッチペンや指で接触することによって、不揮発性表示部２の表示の操作や描画などを行うことができる。すなわち、タッチパネル９は、タッチペンや指の接触入力位置を検出して、当該入力位置の情報をＣＰＵ１０へ通知する。
【００３７】
ＲＯＭ１１には各種情報及び携帯端末装置１を動作させるプログラムが記憶されており、ＣＰＵ１０は、このプログラムをＲＯＭ１１から読み出して実行することにより上述した制御部として機能し、携帯端末装置１の全体の制御を司る。ＲＡＭ１２は各種のデータを一時的に記憶するメモリ、ＲＴＣ１３は時間を計測する回路であり、それぞれＣＰＵ１０による制御処理時に用いられる。なお、プログラムをＲＯＭ１１に予め記憶させておくのではなく、メモリカードＩ／Ｆ１６を介して、メモリカード１７など記録媒体からプログラムを取り出してＲＯＭ１１に記憶するようにしてもよい。この場合、メモリカード１７にはプログラムが記憶され、また、ＲＯＭ１１としてフラッシュメモリなどを用いる。
【００３８】
また、表示コントローラ１４は、不揮発性表示部２への表示内容を制御する。この表示コントローラ１４には、後述する画素電極６２への電圧印加を行うＴＦＴ４０を動作させる後述のゲートドライバ２０及びソースドライバ３０を制御するためのＦＰＧＡ、パネル駆動に必要な電源生成部（ＤＣ−ＤＣコンバータなど）等が備えられている。
【００３９】
また、携帯端末装置１は、図示外の外部電源から電力供給を受けていない場合には、バッテリ７の電力で駆動される。バッテリ７又は外部電源からの電力供給経路は、ＣＰＵ１０に対するものと、ＲＯＭ１１，ＲＡＭ１２，表示コントローラ１４といった周辺装置に対するものとの２系統ある。そして、充電コントローラ１５は外部電源からバッテリ７への充電を制御する。
【００４０】
また、メモリカードＩ／Ｆ１６は、メモリカード１７からの情報の読み取り、書き込みを制御する。ＣＰＵ１０は、メモリカードＩ／Ｆ１６を制御してメモリカード１７からコンテンツなどの情報を読み取り、或いはメモリカード１７へ情報を書き込む。
【００４１】
［２．２  不揮発性表示部２の構成］
ここで、不揮発性表示部２の物理的構成の概略について、図５及び図６を参照して説明する。図５は不揮発性表示部２である電気泳動表示装置の正面図であり、図６は不揮発性表示部２である電気泳動表示装置のＡ−Ａ線（図５）における矢視方向断面図である。なお、不揮発性表示部２は、例えば１０２４×７６８個の画素が配列されており、図５及び図６では説明の便宜上、一部の画素領域のみを図示している。
【００４２】
不揮発性表示部２は、電力供給が断たれても表示状態を保持することができる不揮発性の表示手段であり、ここでは電気泳動表示装置で構成される。不揮発性表示部２は、例えば１０２４×７６８個の画素８が配列されており、図５及び図６では説明の便宜上、一部の画素領域のみを図示している。
【００４３】
図６に示すように不揮発性表示部２は、その上面部分に設けられる上部基板５０と、その下面部分に設けられる下部基板６０とが対向配置され、上部基板５０と下部基板６０との間に表示領域７０を備える。
【００４４】
上部基板５０は、表示領域７０に電界を発生させる上部電極５２と、上部電極５２の下面側に絶縁材料を塗布等して形成した絶縁膜である上部電極保護膜５１と、上部電極５２の上面側に設けられて携帯端末装置１の表示面として機能する表示層５３とを備える。  上部電極保護膜５１はポリエチレンテレフタレートなどの高い透明性及び高い絶縁性を発揮可能な樹脂フィルムにより形成される。また、上部電極５２は、酸化インジウムすず（ＩＴＯ）により形成された透明電極であり、透明なガラス基板で形成された表示層５３に複数平行に形成され、一定の電圧が印加される。このように、上部電極保護膜５１、上部電極５２及び表示層５３は透明体で形成されており、従って、上部基板５０は利用者が表示面に垂直な方向（Ｚ方向）から表示領域７０を視認可能な表示基板として機能する。
【００４５】
下部基板６０は、表示領域７０に電界を発生させる画素電極６２と、画素電極６２の上面側に絶縁材料を塗布等して形成した絶縁膜である画素電極保護膜６１と、画素電極６２の下面側に設けられて不揮発性表示部２を支持する筐体支持基板６３とを備える。画素電極保護膜６１は、ポリエチレンテレフタレートなどの樹脂フィルムのように高い絶縁性を発揮可能な材料により形成される。また、画素電極６２は、画素８毎に設けられ、後述する画素８内のＴＦＴ（Thin Film Transistor）のドレインにそれぞれ接続される。
【００４６】
表示領域７０は、対向して設けられる上部基板５０及び下部基板６０と、スペーサー７１とで形成される間隙に、負に帯電した白色の帯電粒子３３ａ（以下、「白色負帯電粒子３３ａ」とも呼ぶ。）、正に帯電した黒色の帯電粒子３３ｂ（以下、「黒色正帯電粒子３３ｂ」とも呼ぶ。）及び分散媒３４が充填されることによって形成される。スペーサー７１は、上部基板５０及び下部基板６０との間隙に架設され、その間隙を格子状に均等に分割して複数の小区画セルを形成するとともに、上部基板５０及び下部基板６０を支持する。スペーサー７１は、格子状に複数の貫通孔が形成された板状部材として構成された可撓性部材であり、例えばポリエチレンテレフタレートなどの合成樹脂で構成される。また、帯電粒子３３ａ，３３ｂは、分散媒３４中において帯電可能な材料が用いられ、有機化合物や無機化合物からなる顔料や染料、もしくは顔料や染料を合成樹脂で包んだものからなる。また、分散媒３４としては、高絶縁性を発揮可能で、かつ粘性の低い、アルコール類，炭化水素，シリコーンオイルなどを利用できる。
【００４７】
次に、図７を参照して、不揮発性表示部２の電気的構成について説明する。図７は、不揮発性表示部２の電気的構成を示すブロック図である。
【００４８】
不揮発性表示部２には、ゲートドライバ２０及びソースドライバ３０が備えられており、ゲートドライバ２０からは複数のゲート線２１が、ソースドライバ３０からはアンプ３２を介して複数のソース線３１が、それぞれ平行に延びている。また、ゲート線２１とソース線３１とは互いに交差して配設されており、各交差部近傍にはＴＦＴ４０がそれぞれ設けられている。そして、各ＴＦＴ４０のゲートはゲート線２１に接続され、ドレインはソース線３１に接続されている。さらに、各ＴＦＴ４０のソースは、共通電極である上部電極５２と画素電極６２との間に構造上発生する画素容量４１と、画素電極６２に与える電圧を保持する動作の時定数を大きくするための保持容量４２とに接続されている。
【００４９】
このような構成の不揮発性表示部２において、ゲート線２１にオン電圧が印加されていない場合は、そのゲート線２１に接続された全てのＴＦＴ４０はオフ状態となる。一方で、ゲートドライバ２０によりゲート線２１にオン電圧が印加されると、そのゲート線２１に接続されている全てのＴＦＴ４０がオン状態となる。このように、ゲート線２１に印加する電圧を制御することで、ＴＦＴ４０のオン・オフの制御を行っている。そして、オン状態となっているＴＦＴ４０に接続されているソース線３１に、ソースドライバ３０によりプラスの電圧が印加されると、このＴＦＴ４０に接続された画素電極６２にプラスの電圧が印加される。一方で、ソース線３１に、ソースドライバ３０によりマイナスの電圧が印加されると、このＴＦＴ４０に接続された画素電極６２にマイナスの電圧が印加される。上部電極５２には、各画素共通の電圧(例えば０Ｖ)が印加されるため、画素電極６２と上部電極５２との間に電界が発生し、白色負帯電粒子３３ａ及び黒色正帯電粒子３３ｂが移動する。このように、アクティブマトリクス方式によると、１つ１つの画素の階調をそれぞれ独立に制御して画像を表示することができる。
【００５０】
［２．３  不揮発性表示部２の階調表示］
次に、図６を参照して、不揮発性表示部２の各画素８における階調表示の原理について説明する。図６は階調が異なる４つの画素８ａ〜８ｄ内の状態を簡略化して示した断面図である。なお、本実施形態の携帯端末装置１においては、黒色、ダークグレー、ライトグレー、白色の４つの階調を使い分けて画像を表示するが、この階調は、白色負帯電粒子３３ａ及び黒色正帯電粒子３３ｂの不揮発性表示部２内での平均分布によって決定される。尚、画像を表示するために使い分けることができる階調の数は４つに限られず、適宜変更が可能である。
【００５１】
図６に示す画素８ａのように階調を黒色とするためには、上部電極５２側の電位を基準電位（０Ｖ）として画素電極６２側をプラスにし、十分に電界を発生させる。これにより、黒色正帯電粒子３３ｂが上部基板５０近傍に分布し、白色負帯電粒子３３ａが画素電極６２近傍に分布して、黒色表示の状態となる。また、画素８ｂのように階調を白色とするためには、上部電極５２の電位を基準電位（０Ｖ）として画素電極６２側をマイナスにし、十分に電界を発生させる。これにより、黒色正帯電粒子３３ｂが画素電極６２近傍に分布し、白色負帯電粒子３３ａが上部電極５２近傍に分布して、白色表示の状態となる。
【００５２】
また、印加する電圧の大きさや印加時間を調節して、白色負帯電粒子３３ａ及び黒色正帯電粒子３３ｂを、上部電極５２と画素電極６２との中間位置の近傍に位置させると、上部電極５２側からは白色負帯電粒子３３ａ及び黒色正帯電粒子３３ｂの両方が視認できるため、階調はグレーとなる。この場合、本実施の形態では、図６に示すダークグレーの画素８ｂ及びライトグレーの画素部８ｃのように、帯電粒子３３ａ，３３ｂの分布の度合いを変えることでダークグレーとライトグレーとを使い分けている。
【００５３】
ここで、図８を参照して、画素８の階調を制御するためにソースドライバ３０によってソース線３１から各画素８の画素電極６２に電圧が印加され、実際に表示書き換え中に画素電極６２に印加される駆動パルスについて説明する。図８は画素の階調を書き換えるときに画素電極６２に印加される電圧の波形を示す図である。この駆動パルスは、書き換え前後の表示内容の差分に基づいて生成されるパルスである。本実施形態では、黒色、ダークグレー、ライトグレー、白色の４つの階調を使い分けるため、書き換え前後の階調が同じ階調である場合を含めると、階調の変化は１６通りとなり、各階調変化に応じた駆動パルスが画素８に印加される。なお、ここでは、白色から４つの階調へ変化させる場合を例に挙げて説明する。
【００５４】
まず、駆動パルスの波形について説明する。この駆動パルスは、図８に示すように、シェイキングパルス、書き換えパルス、制動パルスから構成される。
【００５５】
図８に示すように、駆動パルスのシェイキングパルスは、電圧の極性が交互に反転するパルスであり、帯電粒子３３ａ，３３ｂを静止状態から開放させるには十分であるが、帯電粒子３３ａ，３３ｂを一方の基板から他方の基板へ到達させるには不十分であるエネルギーを有するパルスである。このシェイキングパルスが画素電極６２へ印加されると、上部電極５２及び画素電極６２の表面に付着していた帯電粒子３３ａ，３３ｂが剥離されると共に、帯電粒子３３ａ，３３ｂが静止状態から開放される。従って、シェイキングパルスを印加した後に帯電粒子３３ａ，３３ｂを移動させるためのパルスを印加すると、シェイキングパルスを印加させない場合に比べて帯電粒子３３ａ，３３ｂを素早く移動させることができる。また、帯電粒子３３ａ，３３ｂが移動を開始しやすくすることで、前の表示履歴の影響を小さくし、再現性のある階調を画素に表示させることができる。
【００５６】
駆動パルスの書き換えパルスは、帯電粒子３３ａ，３３ｂを移動させるパルスであり、書き換え前後の階調の変化に応じた波形のパルスとなる。例えば、白色から黒色に階調を変化させるときには、図８（ａ）に示すように、駆動パルスとしてプラスの電圧を画素電極６２に印加することにより、黒色正帯電粒子３３ｂが上部電極５２側へ、白色負帯電粒子３３ａが画素電極６２側へ移動する。また、白色からダークグレーに階調を変化させるときには、図８（ｄ）に示すように、駆動パルスとしてプラスの電圧を画素電極６２に印加して、その後マイナスの電圧を画素電極６２に印加することにより、一旦黒色正帯電粒子３３ｂが上部電極５２に移動した後、少し白色負帯電粒子３３ａが上部電極５２に移動する。
【００５７】
駆動パルスの制動パルスは、書き換えパルスによる帯電粒子３３ａ，３３ｂの運動を減衰させるためのパルスである。この制動パルスは、書き換えパルスの終端の電圧極性と反転した電圧のパルスである。例えば、白色から黒色に階調を変化させる駆動パルスにおいては、制動パルスは、図８（ａ）に示すように、マイナスの電圧となる。また、白色からダークグレーに階調を変化させるときにおいては、制動パルスは図８（ｄ）に示すように、プラスの電圧となる。
【００５８】
制動パルスの後には、上部電極５２と画素電極６２に印加する電圧を同電圧（ＧＮＤ，０Ｖ）とすることにより、電界の発生を完全に停止させて帯電粒子３３ａ，３３ｂの運動を停止させる。
【００５９】
このように、次に表示する階調に対応する帯電粒子３３ａ，３３ｂの平均位置と、現在表示中の階調に対応する帯電粒子３３ａ，３３ｂの平均位置との差分に応じた駆動パルスを両電極間５２，６２に印加することによって、階調を変更する。
【００６０】
次に、リセットパルスの波形について説明する。図９は画素８の階調を初期化するときのリセットパルスの波形を示す図である。
【００６１】
このリセットパルスは、上部電極５２及び画素電極６２のうち一方の電極に白色負帯電粒子３３ａを引き寄せ、他方の電極に黒色正帯電粒子３３ｂを引き寄せるリセット処理を行うために、各画素８に印加するパルスである。ここでは、一例として、白色負帯電粒子３３ａを画素電極６２に引き寄せ、黒色正帯電粒子３３ｂを上部電極５２に引き寄せる例を説明する。
【００６２】
リセットパルスは、図９に示すように、シェイキングパルスと書き換えパルスからなり、各画素８の画素電極６２に印加される。このリセットパルスにおいては、まずシェイキングパルスにより、上部電極５２及び画素電極６２の表面に付着していた帯電粒子３３ａ，３３ｂが剥離されると共に、帯電粒子３３ａ，３３ｂが静止状態から開放される。その後、書き換えパルスとしてプラスの電圧を画素電極６２に印加して白色負帯電粒子３３ａを画素電極６２、黒色正帯電粒子３３ｂを上部電極５２へそれぞれ移動させる。
【００６３】
このリセットパルスを画素電極６２に印加した後にすぐに画素８の表示内容を書き換えるときには、上記駆動パルスを用いずに、第２駆動パルスを用いる。図１０は画素の階調を書き換えるときの第２駆動パルスの波形を示す図である。
【００６４】
第２駆動パルスは、図１０に示すように、書き換えパルス、制動パルスから構成される。すなわち、駆動パルスのようなシェイキングパルスは存在しない。これは、すでに直前にリセットパルスによりシェイキングパルスが画素８に印加されているからである。
【００６５】
第２駆動パルスの書き換えパルスは、帯電粒子３３ａ，３３ｂを移動させるパルスであり、書き換え前後の階調の変化に応じた波形のパルスとなる。例えば、白色から黒色に階調を変化させるときには、図１０（ａ）に示すように、第２駆動パルスとしてプラスの電圧を画素電極６２に印加することにより、黒色正帯電粒子３３ｂが上部電極５２側へ、白色負帯電粒子３３ａが画素電極６２側へ移動する。また、白色からダークグレーに階調を変化させるときには、図１０（ｄ）に示すように、駆動パルスとしてプラスの電圧を画素電極６２に印加して、その後マイナスの電圧を画素電極６２に印加することにより、一旦黒色正帯電粒子３３ｂが上部電極５２に移動した後、少し白色負帯電粒子３３ａが上部電極５２に移動する。
【００６６】
第２駆動パルスの制動パルスは、駆動パルスの制動パルスと同様に、書き換えパルスによる帯電粒子３３ａ，３３ｂの運動を減衰させるためのパルスである。この制動パルスは、書き換えパルスの終端の電圧極性と反転した電圧のパルスである。制動パルスの後には、上部電極５２と画素電極６２に印加する電圧を同電圧（ＧＮＤ,０Ｖ）することにより、電界の発生を完全に停止させて帯電粒子３３ａ，３３ｂの運動を停止させる。
【００６７】
このように、次に表示する階調に対応する帯電粒子３３ａ，３３ｂの平均位置と、現在表示中の階調に対応する帯電粒子３３ａ，３３ｂの平均位置との差分に応じた第２駆動パルスを両電極間５２，６２に印加することによって、階調を変更する。
【００６８】
［２．３  携帯端末装置１の不揮発性表示部２の表示内容の書き換え処理］
次に、本実施形態における携帯端末装置１の不揮発性表示部２の表示内容の書き換え処理について図面を参照して説明する。なお、以下においては、複数ページを有するコンテンツのページめくり操作が行われた際の書き換え処理を例に挙げて説明する。図１１は不揮発性表示部２の表示内容の書き換えメイン処理のフローチャートである。
【００６９】
図１１に示すように、携帯端末装置１のＣＰＵ１０は、書き換えメイン処理を開始すると、まず、ユーザによる入力部５への操作によって、表示書き換え指示入力が開始されたか否かを判定する（ステップＳ１）。
【００７０】
表示書き換え指示入力が開始されたか否かは、ユーザによる左キー３ｄ，４ａや右キー３ｅ，４ｂへの操作があったか否かによって判定される。ここで、左キー３ｄ，４ａは表示内容を現ページよりも前のページの表示内容に戻す操作を行うためのキーであり、右キー３ｅ，４ｂは表示内容を現ページよりも先のページの表示内容に進める操作を行うためのキーである。
【００７１】
そして、携帯端末装置１のＣＰＵ１０は、ユーザによる左キー３ｄ，４ａや右キー３ｅ，４ｂへの操作が行われて表示書き換え指示入力が開始されたと判定したとき（ステップＳ１：ＹＥＳ）、この表示書き換え指示入力が算出要キーの入力であるか否かを判定する（ステップＳ２）。ここで、算出要キーは連続操作を行うことができるナビキー３の左キー３ｄや右キー３ｅであり、連続操作を行えない表示切替キー４の左キー４ａや右キー４ｂは算出要キーとは判定しない。
【００７２】
ステップＳ２の処理において、ステップＳ１で開始されたと判定した表示書き換え指示入力が算出要キーの入力であると判定すると（ステップＳ２：ＹＥＳ）、携帯端末装置１のＣＰＵ１０は、リセット処理を開始する（ステップＳ３）。このリセット処理は、不揮発性表示部２の表示を初期化する処理であり、不揮発性表示部２の画素８に図９に示すリセットパルスを印加することによって行われる。このようにリセット処理を行うことによって、帯電粒子３３ａ，３３ｂを一旦電極に引き寄せて差分書き換えによるズレをキャンセルするようにし、不揮発性表示部２における表示画質の劣化を抑制している。
【００７３】
次に、携帯端末装置１のＣＰＵ１０は、ユーザ入力算出処理を実行する（ステップＳ４）。このユーザ入力算出処理は、ステップＳ１で開始されたユーザのナビキー３への入力量を算出して書き換え処理を行う表示内容を確定する処理であり、図１２に示すステップＳ２１〜Ｓ３２又は図１３に示すステップＳ４１〜Ｓ５２に示す処理であり、後で詳述する。
【００７４】
その後、携帯端末装置１のＣＰＵ１０は、ステップＳ３で開始したリセット処理が終了したか否かを判定する（ステップＳ５）。リセット処理が終了していないときには（ステップＳ５：ＮＯ）、携帯端末装置１のＣＰＵ１０は、このステップＳ５の処理を繰り返す。
【００７５】
一方、リセット処理が終了したときには（ステップＳ５：ＹＥＳ）、携帯端末装置１のＣＰＵ１０は、ステップＳ４のユーザ入力算出処理により確定した表示内容を指定の表示内容とし、この指定の表示内容への書き換え処理を開始する（ステップＳ６）。例えば、左キー３ｄ又は右キー３ｅへの５回の連続押下操作があったとき、表示しているページの５ページ前又は５ページ先の表示内容へ書き換える。
【００７６】
このときに不揮発性表示部２の画素８に印加する駆動パルスは、図１０に示す第２駆動パルスである。これは、すでに直前のステップＳ３でリセット処理を行っているからである。すなわち、シェイキングパルスを含むリセット処理後、短い期間後に引き続き書き換えパルスを印加するため、ここでの表示書き換え処理ではシェイキングパルスの印加処理が不要となるからである。
【００７７】
従って、図８に示す駆動パルスを画素８に印加するのに比べ、書き換え処理を速くすることができ、これにより、ユーザへ与える不快感を抑制することができる。
【００７８】
一方、ステップＳ２の処理において、ステップＳ１で開始されたと判定した表示書き換え指示入力が算出要キーの入力ではないと判定したとき（ステップＳ２：ＮＯ）、携帯端末装置１のＣＰＵ１０は、一つ前又は一つ先の表示内容に書き換える処理を開始する（ステップＳ７）。例えば、左キー３ｄへの操作があったとき、携帯端末装置１のＣＰＵ１０は、表示しているページの前のページの表示内容へ書き換える。また、右キー３ｅへの操作があったとき、携帯端末装置１のＣＰＵ１０は、表示しているページの次のページの表示内容へ書き換える。
【００７９】
このときに不揮発性表示部２の画素８に印加する駆動パルスは、図８に示す駆動パルスである。従って、図９に示すリセットパルスの後に図１０に示す第２駆動パルスを画素８に印加するのに比べ、書き換え処理を速くすることができ、これにより、ユーザへ与える不快感を抑制することができる。
【００８０】
ステップＳ６，Ｓ７の処理が終了したとき、携帯端末装置１のＣＰＵは、書き換えメイン処理を終了する。
【００８１】
このように携帯端末装置１では、ユーザによる左キー３ｄ又は右キー３ｅへの操作入力があったとき、その操作入力が確定する前に不揮発性表示部２のリセット処理を行い、その後操作入力が確定したときに、シェイキングパルスを含まない第２駆動パルスで不揮発性表示部２の表示内容を書き換える。従って、不揮発性表示部２における表示画質の劣化を抑制することができ、しかも、確定した操作入力に応じた表示内容への書き換えを速くすることができる。
【００８２】
一方、ユーザによる左キー４ａ又は右キー４ｂへの操作入力があったときには、不揮発性表示部２のリセット処理を行わずに、シェイキングパルスを含む駆動パルスで不揮発性表示部２の表示内容を書き換える。従って、リセット処理を事前に行う場合に比べ、単一操作入力に応じた表示内容への書き換えが速くなる。すなわち、左キー３ｄ又は右キー３ｅへの入力では連続操作でないと判定したときに単一操作となるため、その確定に時間を要し、その後書き換え処理を行うが、左キー４ａ又は右キー４ｂへの入力では必ず単一操作となるため確定に時間を要せず、すぐに書き換え処理を行うことができる。例えば、連続押下操作の場合、左キー３ｄ又は右キー３ｅへの２回目の押下があるかどうかを待つ時間が１秒であるとすると、左キー４ａ又は右キー４ｂへの入力に対して１秒ほど書き換え処理が遅れることになるが、左キー４ａ又は右キー４ｂではこの待ち時間が不要となる。
【００８３】
ここで、ステップＳ４で開始されるユーザ入力算出処理について、図１２及び図１３を参照して説明する。図１２は第１モードのユーザ入力算出処理のフローチャート、図１３は第２モードのユーザ入力算出処理のフローチャートである。携帯端末装置１においては、左キー３ｄ又は右キー３ｅへの長押し操作によるページジャンプが行える第１モードと左キー３ｄ又は右キー３ｅへの連続押下操作によるページジャンプが行える第２モードを有しており、これらは、ユーザがナビキー３を操作することにより選択することができる。
【００８４】
（第１モードのユーザ入力算出処理）
まず、第１モードが選択されているときのユーザ入力算出処理を図１２を参照して説明する。
【００８５】
図１２に示すように、携帯端末装置１のＣＰＵ１０は、まずＲＴＣ１３を用いたカウントを開始する（ステップＳ２１）。
【００８６】
次に、携帯端末装置１のＣＰＵ１０は、ステップＳ１で検出した表示書き換え指示入力が終了したか否かを判定する（ステップＳ２２）。なお、表示書き換え指示入力が終了したか否かの判定は、例えば、左キー３ｄ又は右キー３ｅの押下が解除されたときに、表示書き換え指示入力が終了したと判定することによって行う。
【００８７】
この処理において、携帯端末装置１のＣＰＵ１０は、表示書き換え指示入力が終了するまで待ち（ステップＳ２２：ＮＯ）、表示書き換え指示入力が終了したと判定すると（ステップＳ２２：ＹＥＳ）、ステップＳ２１で開始したＲＴＣ１３を用いたカウントを停止する（ステップＳ２３）。
【００８８】
次に、携帯端末装置１のＣＰＵ１０は、ＲＴＣ１３を用いたカウントのカウント値が１秒以内であるか否かを判定する（ステップＳ２４）。この処理において、カウント値が１秒以内であると判定すると（ステップＳ２４：ＹＥＳ）、携帯端末装置１のＣＰＵ１０は、表示書き換え指示入力が、１ページ分の切り替え操作である単一操作であると判定して、書き換える表示内容を左キー３ｄによる操作のときには一つ前のページの表示内容に確定し、右キー３ｅによる操作のときには一つ先のページの表示内容に確定する（ステップＳ２５）。
【００８９】
また、カウント値が１秒を超えているとき（ステップＳ２４：ＮＯ）、携帯端末装置１のＣＰＵ１０は、カウント値が２秒以内であるか否かを判定する（ステップＳ２６）。この処理において、カウント値が２秒以内であると判定すると（ステップＳ２６：ＹＥＳ）、携帯端末装置１のＣＰＵ１０は、表示書き換え指示入力が、２ページ分の切り替え操作である連続操作であると判定して、書き換える表示内容を左キー３ｄによる操作のときには二つ前のページの表示内容に確定し、右キー３ｅによる操作のときには二つ先のページの表示内容に確定する（ステップＳ２７）。
【００９０】
また、カウント値が２秒を超えているとき（ステップＳ２６：ＮＯ）、携帯端末装置１のＣＰＵ１０は、カウント値が３秒以内であるか否かを判定する（ステップＳ２８）。この処理において、カウント値が３秒以内であると判定すると（ステップＳ２８：ＹＥＳ）、携帯端末装置１のＣＰＵ１０は、表示書き換え指示入力が、３ページ分の切り替え操作である連続操作であると判定して、書き換える表示内容を左キー３ｄによる操作のときには三つ前のページの表示内容に確定し、右キー３ｅによる操作のときには三つ先のページの表示内容に確定する（ステップＳ２９）。
【００９１】
また、カウント値が３秒を超えているとき（ステップＳ２８：ＮＯ）、携帯端末装置１のＣＰＵ１０は、カウント値が４秒以内であるか否かを判定する（ステップＳ３０）。この処理において、カウント値が４秒以内であると判定すると（ステップＳ３０：ＹＥＳ）、携帯端末装置１のＣＰＵ１０は、表示書き換え指示入力が、４ページ分の切り替え操作である連続操作であると判定して、書き換える表示内容を左キー３ｄによる操作のときには四つ前のページの表示内容に確定し、右キー３ｅによる操作のときには四つ先のページの表示内容に確定する（ステップＳ３１）。
【００９２】
また、カウント値が４秒を超えているとき（ステップＳ３０：ＮＯ）、携帯端末装置１のＣＰＵ１０は、表示書き換え指示入力が、５ページ分の切り替え操作である連続操作であると判定して、書き換える表示内容を左キー３ｄによる操作のときには五つ前のページの表示内容に確定し、右キー３ｅによる操作のときには五つ先のページの表示内容に確定する（ステップＳ３２）。
【００９３】
ステップＳ２５，Ｓ２７，Ｓ２９，Ｓ３１，Ｓ３２の処理が終了したとき、携帯端末装置１のＣＰＵ１０は、ユーザ入力算出処理を終了する。
【００９４】
（第２モードのユーザ入力算出処理）
次に、第２モードが選択されているときのユーザ入力算出処理を図１３を参照して説明する。
【００９５】
ステップＳ４１において、携帯端末装置１のＣＰＵ１０は、ＲＴＣ１３を用いたカウントを開始するのではなく、左キー３ｄ又は右キー３ｅの入力数（押下回数）の検知を開始する。
【００９６】
次に、携帯端末装置１のＣＰＵ１０は、ステップＳ１で検出した表示書き換え指示入力が終了したか否かを判定する（ステップＳ４２）。なお、表示書き換え指示入力が終了したか否かの判定は、例えば、左キー３ｄ又は右キー３ｅが入力されてから次の入力がなく所定時間（例えば３秒）経過したときに、表示書き換え指示入力が終了したと判定することによって行う。
【００９７】
この処理において、表示書き換え指示入力が終了したと判定すると（ステップＳ４２：ＹＥＳ）、携帯端末装置１のＣＰＵ１０は、ステップＳ４１で開始した入力数（押下回数）の検知を停止する（ステップＳ４３）。
【００９８】
その後、携帯端末装置１のＣＰＵ１０は、検知した入力回数が１回，２回，３回，４回，５回以上のいずれであるか否かを判定する（ステップＳ４４，Ｓ４６，Ｓ４８，Ｓ５０）。
【００９９】
そして、検知した入力回数が１回であると判定すると（ステップＳ４４：ＹＥＳ）、携帯端末装置１のＣＰＵ１０は、表示書き換え指示入力が、１ページ分の切り替え操作である単一操作であると判定して、書き換える表示内容を左キー３ｄによる操作のときには一つ前のページの表示内容に確定し、右キー３ｅによる操作のときには一つ先のページの表示内容に確定する（ステップＳ４５）。
【０１００】
また、検知した入力回数が２回であると判定すると（ステップＳ４６：ＹＥＳ）、携帯端末装置１のＣＰＵ１０は、表示書き換え指示入力が、２ページ分の切り替え操作である連続操作であると判定して、書き換える表示内容を左キー３ｄによる操作のときには二つ前のページの表示内容に確定し、右キー３ｅによる操作のときには二つ先のページの表示内容に確定する（ステップＳ４７）。
【０１０１】
また、検知した入力回数が３回であると判定すると（ステップＳ４８：ＹＥＳ）、携帯端末装置１のＣＰＵ１０は、表示書き換え指示入力が、３ページ分の切り替え操作である連続操作であると判定して、書き換える表示内容を左キー３ｄによる操作のときには三つ前のページの表示内容に確定し、右キー３ｅによる操作のときには三つ先のページの表示内容に確定する（ステップＳ４９）。
【０１０２】
また、検知した入力回数が４回であると判定すると（ステップＳ５０：ＹＥＳ）、携帯端末装置１のＣＰＵ１０は、表示書き換え指示入力が、４ページ分の切り替え操作である連続操作であると判定して、書き換える表示内容を左キー３ｄによる操作のときには四つ前のページの表示内容に確定し、右キー３ｅによる操作のときには四つ先のページの表示内容に確定する（ステップＳ５１）。
【０１０３】
また、検知した入力回数が４回を超えていると判定すると（ステップＳ５０：ＮＯ）、携帯端末装置１のＣＰＵ１０は、入力部５への操作が、５ページ分の切り替え操作である連続操作であると判定して、書き換える表示内容を左キー３ｄによる操作のときには五つ前のページの表示内容に確定し、右キー３ｅによる操作のときには五つ先のページの表示内容に確定する（ステップＳ５２）。
【０１０４】
ステップＳ４５，Ｓ４７，Ｓ４９，Ｓ５１，Ｓ５２の処理が終了したとき、携帯端末装置１のＣＰＵ１０は、ユーザ入力算出処理を終了する。
【０１０５】
以上のように、本実施形態における携帯端末装置１では、第１モードが選択されているときに右キー３ｅ又は左キー３ｄが操作されたとき、その連続操作の入力量（操作継続時間）を検出して、当該操作量に応じたページ分切り替えた表示内容を書き換え先の表示内容として確定する。また、第２モードが選択されているときに右キー３ｅ又は左キー３ｄが操作されたとき、その連続入力の入力量（入力数）を検出して、当該操作量に応じたページ分切り替えた表示内容を書き換え先の表示内容として確定する。
【０１０６】
また、連続操作の入力量が所定量（例えば、５秒以上の長押し又は５回以上の連続押下）に達したとき、ナビキー３への操作を所定ページ分（例えば、５ページ分）切り替えた連続操作として確定するようにしている。このように連続操作の操作量に限度を設けることによって、ユーザの利便性を向上させており、また、連続操作の確定までの時間を制限して、ユーザへ与える不快感を低減させている。
【０１０７】
また、表示内容の切り替えとして、不揮発性表示部２の表示内容を上キー３ｂや下キー３ｃなどでスクロールする操作するときやカーソル移動させるときにも上述のページめくり操作に対する処理と同様の処理が適用できる。例えば、ユーザによる下キー３ｃへの入力があったとき、携帯端末装置１のＣＰＵ１０は、下方向に所定長さスクロールしたときの表示内容へ不揮発性表示部２の表示内容を書き換え、その後、下キー３ｃの長押し操作があったとき、携帯端末装置１のＣＰＵ１０は、長押し時間に応じた長さのスクロールをしたときの表示内容へ不揮発性表示部２の表示内容を書き換える。
【０１０８】
また、上述の実施形態では、一つ前又は一つ先の表示内容に書き換える操作を単一操作として説明したが、二つ以上前又は二つ以上先の表示内容に書き換える操作を連続操作としてもよい。つまり、１ページ単位ではなく複数ページ単位で操作できるようにしてもよい。
【０１０９】
［３  その他の実施形態］
上述の実施形態においては、ナビキー３、表示切替キー４による表示切り替え動作について説明したが、タッチパネル９への操作による表示切り替えを可能とすることもできる。以下、タッチパネル９での表示切り替えについて説明する。
【０１１０】
携帯端末装置１では、タッチパネル９へスタイラスペンや指などで接触することによって、その接触位置（以下、「入力位置」とする。）をタッチパネル９が検出する。タッチパネル９が検出した入力位置の情報は、ＣＰＵ１０に通知される。ＣＰＵ１０は、この入力位置の情報に基づいて、不揮発性表示部２の表示内容を書き換える。例えば、携帯端末装置１が描画モードや手書き文字入力モードのとき、ＣＰＵ１０は、入力位置の情報に基づいてユーザがスタイラスペンなどで入力した画や文字を不揮発性表示部２に表示する。
【０１１１】
例えば、図１４に示すように、タッチパネル９にスタイラスペンが接触したとき、携帯端末装置１のＣＰＵ１０は、まず不揮発性表示部２のリセット処理を行う（図１４の中央図参照。）。その後、ユーザがスタイラスペンを動かして接触位置を移動していきその移動が停止すると、携帯端末装置１のＣＰＵ１０は、その移動軌跡を黒色とした表示内容を次に表示すべき表示内容として確定して表示内容の書き換え処理を行う（図１４の右図参照）。
【０１１２】
ここで、タッチパネル９を用いた操作入力に対するユーザ入力算出処理を図１５を参照して説明する。なお、書き換えメイン処理については、図１１の処理と同様であるため、ここでは説明を省略する。但し、描画や手書き文字入力の場合には、一つ前の表示内容への操作はない。
【０１１３】
ユーザ入力算出処理が開始されると、図１５に示すように、携帯端末装置１のＣＰＵ１０は、ユーザによるタッチパネル９への入力位置の履歴（以下、「入力位置履歴」とする。）をＲＡＭ１２へ記憶する処理を開始する（ステップＳ６１）。
【０１１４】
次に、携帯端末装置１のＣＰＵ１０は、タッチパネル９への表示書き換え指示入力が終了したか否かを判定する（ステップＳ６２）。なお、表示書き換え指示入力が終了したか否かの判定は、スタイラスペンによるタッチパネル９への接触が解除されたときに、表示書き換え指示入力が終了したと判定することによって行う。
【０１１５】
この処理において、表示書き換え指示入力が終了していると判定すると（ステップＳ６２：ＹＥＳ）、携帯端末装置１のＣＰＵ１０は、入力位置履歴のＲＡＭ１２への記憶処理を停止する（ステップＳ６３）。
【０１１６】
ステップＳ６３の処理が終了すると、携帯端末装置１のＣＰＵ１０は、ＲＡＭ１２に記憶された入力位置履歴が最初の入力位置のみであるか否かを判定する（ステップＳ６４）。この処理において、最初の入力位置のみがＲＡＭ１２に記憶されていると判定すると（ステップＳ６４：ＹＥＳ）、携帯端末装置１のＣＰＵ１０は、ＲＡＭ１２に記憶されている最初の入力位置に対応する表示位置を黒色とした表示内容を書き換える表示内容として確定する（ステップＳ６６）。
【０１１７】
一方、ステップＳ６４において、最初の入力位置のみがＲＡＭ１２に記憶されていないと判定すると（ステップＳ６４：ＮＯ）、携帯端末装置１のＣＰＵ１０は、ＲＡＭ１２に記憶されている入力位置履歴に基づいてスタイラスペンの移動軌跡に対応する表示位置を黒色とした表示内容を作成して表示内容を書き換える（ステップＳ６５）。
【０１１８】
ステップＳ６５，Ｓ６６の処理が終了したとき、携帯端末装置１のＣＰＵ１０は、ユーザ入力算出処理を終了する。
【０１１９】
以上のように、携帯端末装置１のＣＰＵ１０は、スタイラスペン等による最初のタッチパネル９への接触操作があったときに、まず不揮発性表示部２の表示内容のリセット処理を行い、その後タッチパネル９への接触位置を移動する連続操作があったとき、その連続操作に応じた表示内容への書き換え処理を行うようにしている。従って、不揮発性表示部２における表示画質の劣化を抑制することができる。また、この書き換え処理は、シェイキングパルスを含まない第２駆動パルスで不揮発性表示部２の表示内容を書き換える処理であるため、確定した操作入力に応じた表示内容への書き換えが速くなる。
【０１２０】
このように、携帯端末装置１では、タッチパネル９を用いた描画や手書き文字入力の場合にも、揮発性表示部２における表示画質の劣化を抑制し、また、表示内容への書き換えを迅速にしてユーザへ与える不快感を抑制することができる。
【０１２１】
以上、本発明の実施形態のいくつかを図面に基づいて詳細に説明したが、これらは例示であり、当業者の知識に基づいて種々の変形、改良を施した他の形態で本発明を実施することが可能である。
【図面の簡単な説明】
【０１２２】
【図１】本発明の一実施形態の携帯端末装置の正面図である。
【図２】図１に示す携帯端末装置の表示書き換え処理の説明図である。
【図３】図１に示す携帯端末装置の表示書き換え処理の説明図である。
【図４】図１に示す携帯端末装置の電気的構成を示す模式図である。
【図５】図１に示す携帯端末装置の不揮発性表示部の正面図である。
【図６】図５における矢視方向断面図である。
【図７】図１に示す携帯端末装置の不揮発性表示部の電気的構成を示すブロック図である。
【図８】画素の階調を書き換えるときの駆動パルスの波形を示す図である。
【図９】画素の階調を初期化するときのリセットパルスの波形を示す図である。
【図１０】画素の階調を書き換えるときの第２駆動パルスの波形を示す図である。
【図１１】不揮発性表示部の表示内容の書き換え処理のフローチャートである。
【図１２】第１モードのユーザ入力算出処理のフローチャートである。
【図１３】第２モードのユーザ入力算出処理のフローチャートである。
【図１４】図１に示す携帯端末装置のその他の表示書き換え処理の説明図である。
【図１５】タッチパネルにおけるユーザ入力算出処理のフローチャートである。
【符号の説明】
【０１２３】
１  携帯端末装置
２  不揮発性表示部
３  ナビキー
３ｄ，４ａ  左キー
３ｅ，４ｂ  右キー
５  入力部
９  タッチパネル
１０  ＣＰＵ（制御部）
【図１】
2010045527.tif 000003
【図２】
2010045527.tif 000004
【図３】
2010045527.tif 000005
【図４】
2010045527.tif 000006
【図５】
2010045527.tif 000007
【図６】
2010045527.tif 000008
【図７】
2010045527.tif 000009
【図８】
2010045527.tif 000010
【図９】
2010045527.tif 000011
【図１０】
2010045527.tif 000012
【図１１】
2010045527.tif 000013
【図１２】
2010045527.tif 000014
【図１３】
2010045527.tif 000015
【図１４】
2010045527.tif 000016
【図１５】
2010045527.tif 000017